(57)【特許請求の範囲】
【請求項１】
ローカル信号を発振する発振部と、
前記発振部から出力された前記ローカル信号を用いて、受信信号を中間周波信号に周波数変換する周波数変換部と、
前記周波数変換部の出力側に接続されたフィルタと、
前記フィルタの出力側に接続されて、前記受信信号のうちで希望信号の強度を検出する第１検出部と、
前記第１検出部の出力側に接続されて前記フィルタの通過帯域を制御する制御部とを備え、
前記フィルタは前記フィルタの通過帯域において前記中間周波信号を増幅するピークの周波数をカットオフ周波数近傍に有する第１フィルタを含み、
前記制御部は、前記第１検出部による検出の結果、前記希望信号の強度が第１レベルより小さい場合、前記フィルタの通過帯域を第１帯域とし、
前記希望信号の強度が第１レベルより大きい場合、前記フィルタの通過帯域を前記第１帯域より広い第２帯域として前記希望信号の中間周波帯域から前記ピークの周波数を外すように制御する受信装置。
【請求項２】
ローカル信号を発振する発振部と、
前記発振部から出力された前記ローカル信号を用いて、受信信号を中間周波信号に周波数変換する周波数変換部と、
前記周波数変換部の出力側に接続されたフィルタと、
前記フィルタの出力側に接続されて、前記受信信号のうちで希望信号の強度を検出する第１検出部と、
前記第１検出部の出力側に接続されて前記フィルタの通過帯域を制御する制御部とを備え、
前記フィルタは前記フィルタの通過帯域において前記中間周波信号を増幅するピークの周波数を有する第１フィルタを含み、
前記制御部は、前記第１検出部による検出の結果、前記希望信号の強度が第１レベルより小さい場合、前記フィルタの通過帯域を第１帯域とし、
前記希望信号の強度が第１レベルより大きい場合、前記フィルタの通過帯域を前記第１帯域より広い第２帯域として前記希望信号の中間周波帯域から前記ピークの周波数を外すと共に前記第１フィルタにおけるカットオフ周波数を前記希望信号の中間周波帯域から外すように制御する受信装置。
【請求項３】
受信信号が入力されるフィルタと、
ローカル信号を発振する発振部と、
前記発振部から出力された前記ローカル信号を用いて、前記フィルタから出力された信号を中間周波信号に周波数変換する周波数変換部と、
前記周波数変換部の出力側に接続されて前記受信信号のうちで希望信号の強度を検出する第１検出部と、
前記第１検出部の出力側に接続されて前記フィルタの通過帯域を制御する制御部とを備え、
前記フィルタは前記フィルタの通過帯域において前記受信信号を増幅するピークの周波数をカットオフ周波数近傍に有する第１フィルタを含み、
前記制御部は、前記第１検出部による検出の結果、前記希望信号の強度が第１レベルより小さい場合、前記フィルタの通過帯域を第１帯域とし、
前記希望信号の強度が第１レベルより大きい場合、前記フィルタの通過帯域を前記第１帯域より広い第２帯域として前記希望信号の帯域から前記ピークの周波数を外すように制御する受信装置。
【請求項４】
受信信号が入力されるフィルタと、
ローカル信号を発振する発振部と、
前記発振部から出力された前記ローカル信号を用いて、前記フィルタから出力された信号を中間周波信号に周波数変換する周波数変換部と、
前記周波数変換部の出力側に接続されて前記受信信号のうちで希望信号の強度を検出する第１検出部と、
前記第１検出部の出力側に接続されて前記フィルタの通過帯域を制御する制御部とを備え、
前記フィルタは前記フィルタの通過帯域において前記受信信号を増幅するピークの周波数を有する第１フィルタを含み、
前記制御部は、前記第１検出部による検出の結果、前記希望信号の強度が第１レベルより小さい場合、前記フィルタの通過帯域を第１帯域とし、
前記希望信号の強度が第１レベルより大きい場合、前記フィルタの通過帯域を前記第１帯域より広い第２帯域として前記希望信号の帯域から前記ピークの周波数を外すと共に前記第１フィルタにおけるカットオフ周波数を前記希望信号の帯域から外すように制御する受信装置。
【請求項５】
前記フィルタの出力側に接続されて、前記フィルタから出力された信号の品質を検出する信号品質検出部を備え、
前記制御部は、前記信号品質検出部による検出の結果に基づいて、前記フィルタの通過帯域を制御する請求項１又は請求項２又は請求項３又は請求項４に記載の受信装置。
【請求項６】
前記周波数変換部は、イメージ妨害信号を減衰するイメージリジェクションミキサであり、
前記第２帯域は、前記第１帯域と比較して、ゼロ周波数から遠い周波数を含む請求項１又は請求項２に記載の受信装置。
【請求項７】
前記周波数変換部は、イメージ妨害信号を減衰するイメージリジェクションミキサであり、
前記第２帯域は、前記第１帯域と比較して、前記ローカル信号の周波数から遠い周波数を含む請求項３又は請求項４に記載の受信装置。
【請求項８】
前記フィルタの入力側に接続されて受信信号の強度を検出する第２検出部を備え、
前記制御部は、更に前記第２検出部による検出の結果にも基づいて、前記フィルタの通過帯域を制御する請求項１又は請求項２又は請求項３又は請求項４に記載の受信装置。
【請求項９】
前記フィルタの入力側に接続されて受信信号の強度を検出する第２検出部を備え、
前記制御部は、前記希望信号の強度が第１レベルより小さく、かつ、前記第２検出部による検出の結果、前記受信信号の強度が第２レベルよりも小さい場合、前記フィルタの通過帯域を前記第１帯域より広い第３帯域とする請求項１又は請求項２又は請求項３又は請求項４に記載の受信装置。
【請求項１０】
前記フィルタの入力側に接続されて受信信号の強度を検出する第２検出部を備え、
前記制御部は、前記第１検出部による検出の結果、前記希望信号の強度が第１レベルより大きくて、前記第２検出部による検出の結果、前記受信信号のうち妨害信号の強度が第３レベルよりも大きい場合、前記フィルタの通過帯域を前記第１帯域より広い第４帯域とし、
前記第４帯域におけるカットオフ周波数は、前記希望信号の中間周波数と前記妨害信号の中間周波数との間の周波数である請求項１又は請求項２に記載の受信装置。
【請求項１１】
前記フィルタの入力側に接続されて受信信号の強度を検出する第２検出部を備え、
前記制御部は、前記第１検出部による検出の結果、前記希望信号の強度が第１レベルより大きくて、前記第２検出部による検出の結果、前記受信信号のうち妨害信号の強度が第３レベルよりも大きい場合、前記フィルタの通過帯域を前記第１帯域より広い第４帯域とし、
前記第４帯域におけるカットオフ周波数は、前記希望信号の周波数と前記妨害信号の周波数との間の周波数である請求項３又は請求項４に記載の受信装置。
【請求項１２】
前記周波数変換部の入力側に接続されて前記第２検出部による検出の結果に基づいて増幅度が決定される高周波増幅部を備え、
前記第２検出部は、前記高周波増幅部と前記周波数変換部との間に接続された請求項８に記載の受信装置。
【請求項１３】
前記フィルタの出力側に接続されて入力信号をサンプリングするサンプリング処理部を備え、前記第２帯域における上側カットオフ周波数ωCHと、前記サンプリング処理部におけるサンプリング周波数ωSと、希望信号の周波数帯域幅ωBWと、中間周波数ωIFとの関係が、
ωCH＜ωS-｛ωIF ＋（ωBW／２）｝
を満たす請求項１又は請求項２に記載の受信装置。
【請求項１４】
前記フィルタの出力側に接続されて入力信号をサンプリングするサンプリング処理部を備え、
前記ローカル信号の周波数が前記希望信号の周波数より低い場合、
前記第２帯域の上側カットオフ周波数ωCHと、前記ローカル信号の周波数ωLOと、前記サンプリング処理部におけるサンプリング周波数ωSと、希望信号の周波数帯域幅ωBWと、
中間周波数ωIFとの関係が、
ωCH＜ωLO＋ωS−｛ωIF ＋（ωBW／２）｝
を満たし、
前記ローカル信号の周波数が前記希望信号の周波数より高い場合、
前記第２帯域の下側カットオフ周波数ωCLと、前記ローカル信号の周波数ωLOと、前記サンプリング処理部におけるサンプリング周波数ωSと、希望信号の周波数帯域幅ωBWと、
中間周波数ωIFとの関係が、
ωCL＞ωLO−[ωS−｛ωIF ＋（ωBW／２）｝]
を満たす請求項３又は請求項４に記載の受信装置。
【請求項１５】
前記信号品質検出部は、信号の誤り率（Ｅｒｒｏｒ  Ｒａｔｅ）、若しくはＣＮＲ（Ｃａｒｒｉｅｒ  Ｎｏｉｓｅ  Ｒａｔｉｏ）を検出する請求項５に記載の受信装置。
【請求項１６】
請求項１又は請求項２又は請求項３又は請求項４に記載の受信装置と、
前記受信装置の出力側に接続された信号処理部と、
前記信号処理部の出力側に接続された表示部とを備えた電子機器。
【発明の詳細な説明】
【技術分野】
【０００１】
本発明は、信号を受信する受信装置と、これを用いた電子機器に関するものである。
【背景技術】
【０００２】
以下、従来の受信装置について図１３を用いて説明する。図１３は、従来の受信装置を搭載した電子機器のブロック図である。
【０００３】
図１３において、従来の受信装置１は、ローカル信号を発振する発振部２と、この発振部２から出力されたローカル信号を用いて、受信信号を中間周波信号に周波数変換する周波数変換部３と、周波数変換部３の出力側に接続されてバンドパス特性からなるフィルタ４とを備える。
【０００４】
なお、この出願の発明に関する先行技術文献情報としては、例えば、特許文献１が知られている。
【特許文献１】特開２００４−４８６４５号公報
【発明の開示】
【発明が解決しようとする課題】
【０００５】
このフィルタ４のカットオフを急峻にした場合、フィルタ４を構成する所定のローパスフィルタの特性がカットオフ周波数近傍の通過帯域内側で入力信号を減衰せずに逆に増幅する特性となる。この為、希望信号の強度が所定の第１レベルより大きい場合、カットオフ周波数近傍の希望信号によって、上記ローパスフィルタが歪み、受信品質が劣化するという問題があった。
【０００６】
そこで本発明の受信装置は、受信品質を向上させることを目的とする。
【課題を解決するための手段】
【０００７】
上記目的を達成するために本発明の受信装置は、フィルタの出力側に接続されて、受信信号のうちで希望信号の強度を検出する第１検出部と、この第１検出部の出力側に接続されてフィルタの通過帯域を制御する制御部とを備える。さらに、前記フィルタは前記フィルタの通過帯域において前記中間周波信号を増幅するピークの周波数をカットオフ周波数近傍に有する第１フィルタを含む。また、制御部は、第１検出部による検出の結果、希望信号の強度が第１レベルより小さい場合、フィルタの通過帯域を第１帯域とし、希望信号の強度が第１レベルより大きい場合、フィルタの通過帯域を第１帯域より広い第２帯域として前記希望信号の中間周波帯域から前記ピークの周波数を外すように制御する制御を行う。
【発明の効果】
【０００８】
上記制御部は、希望信号の強度が第１レベルより小さい場合は、フィルタの通過帯域である第１帯域のカットオフ周波数を希望信号の中間周波帯域の上限付近にし、希望信号の強度が第１レベルより大きい場合は、フィルタの通過帯域である第２帯域のカットオフ周波数を、希望信号の中間周波帯域より外の周波数に制御する。尚、中間周波帯域とは、信号が周波数変換部によって周波数変換されたあとの周波数帯域のことをいう。また、希望信号の中間周波帯域より外の周波数とは、例えば、希望信号の中間周波数と妨害信号の中間周波数との間の周波数であっても構わないし、周波数変換後の妨害信号の周波帯域であっても構わない。即ち、希望信号の強度が大きい場合に、フィルタを構成する所定のローパスフィルタにおいて増幅する特性を示すカットオフ周波数近傍を希望信号の中間周波帯域から外すことにより、フィルタの歪を抑制することができる。その結果、受信品質を向上させることができる。
【発明を実施するための最良の形態】
【０００９】
（実施の形態１）
以下、本発明の実施の形態１について図面を用いて説明する。図１は、実施の形態１の受信装置５を搭載した電子機器６のブロック図である。
【００１０】
図１において、電子機器６は、受信装置５の入力側にアンテナ７と、このアンテナ７と受信装置５との間に接続された入力フィルタ８とを備える。また、電子機器６は、受信装置５の出力側に接続されて信号のデコード処理を行う信号処理部９と、この信号処理部９の出力側に接続された表示部１０及びスピーカ１１とを有する。
【００１１】
また、受信装置５は、受信信号が入力される入力端子１２と、この入力端子１２に接続された高周波増幅部１３と、ローカル信号を発振する発振部１４と、この発振部１４から出力されたローカル信号を用いて、受信信号を中間周波信号に周波数変換する周波数変換部１５と、この周波数変換部１５の出力側に接続されて例えばバンドパスフィルタからなるフィルタ１６とを備える。さらに、受信装置５は、フィルタ１６の出力側に接続されたＩＦ増幅部１７と、このＩＦ増幅部１７の出力側に接続されてアナログ信号をデジタル信号に変換するＡＤ変換部１８と、このＡＤ変換部１８の出力側に接続された復調部１９と、この復調部１９に接続された出力端子２０とを備える。さらにまた、受信装置５は、ＡＤ変換部１８の出力側に接続されて、受信信号のうちで希望信号の強度を検出する第１検出部２１と、この第１検出部２１の出力信号に基づいて、ＩＦ増幅部１７に利得調節信号を出力するＩＦＡＧＣ（Ｉｎｔｅｒｍｅｄｉａｔｅ  Ｆｒｅｑｕｅｎｃｙ  Ａｕｔｏ  Ｇａｉｎ  Ｃｏｎｔｒｏｌ）２２と、第１検出部２１の出力側に接続されてフィルタ１６の通過帯域を制御する制御部２３とを備える。尚、受信装置５は、周波数変換部１５とフィルタ１６との間に接続されて受信信号の強度を検出する第２検出部２４と、この第２検出部の出力信号に基づいて、高周波増幅部１３に利得調節信号を出力するＲＦＡＧＣ（Ｒａｄｉｏ Ｆｒｅｑｕｅｎｃｙ  Ａｕｔｏ  Ｇａｉｎ  Ｃｏｎｔｒｏｌ）２５とを備える。
【００１２】
まず、フィルタ１６について図２と図３を用いて説明する。図２に示す様に、フィルタ１６は、例えば、入力側から順に、ハイパスフィルタ２６と、第１ローパスフィルタ２７と、第２ローパスフィルタ２８から構成される。このフィルタ１６の特性を図３（ａ）に示し、ハイパスフィルタ２６の特性と、第１ローパスフィルタ２７の特性と、第２ローパスフィルタ２８の特性とを図３（ｂ）に示す。図３（ａ）、（ｂ）共に縦軸が振幅利得（ｄＢ）を示し、横軸が周波数（ｆ）を示す。
【００１３】
図３（ａ）の枠２９に示すように、フィルタ１６のカットオフを急峻にした場合、図３（ｂ）の枠３０に示すように第１ローパスフィルタ２７の特性がカットオフ周波数近傍の通過帯域内側で入力信号を減衰せずに逆に増幅する特性（以下、ピークという）を示す。尚、カットオフ周波数とは、最大利得が電圧比−３ｄＢ（１／√２）となる周波数である。また、図３の場合、ピークの周波数とカットオフ周波数との幅は、約５０ｋＨｚであり、希望信号の周波数帯域幅の約１００分の１であるが、一般的に、希望信号の周波数帯域幅の１０００分の１から１０分の１である。このピークが存在する為、従来では希望信号の強度が所定の第１レベルより大きい場合、カットオフ周波数近傍の希望信号によって、第１ローパスフィルタ２７が歪み、第２ローパスフィルタ２８の出力において希望信号の平坦性が大きく崩れていた。
【００１４】
なお、フィルタ１６が、例えば、オペアンプなどの増幅器を用いたアクティブフィルタの場合、インダクタやコンデンサ等の受動素子から形成する急峻（Ｑ値が高い）で高次数なパッシブフィルタよりも小型に集積化できる効果があるが、増幅器の電源電圧等で信号振幅の上限が制限されて信号が歪むという課題があった。そのため、本実施の形態では、特に、フィルタ１６がアクティブフィルタの場合、受信信号の強度が大きいときに上記ピークを動かし、歪みを発生させることなく受信品質を良好にすることを可能とする。
【００１５】
次に、本発明の受信装置１における制御部２３の制御について図４を用いて説明する。
【００１６】
制御部２３は、第１検出部２１による検出の結果、希望信号の強度が第１レベルより小さい場合、フィルタ１６の通過帯域を第１帯域とし、希望信号の強度が第１レベルより大きい場合、フィルタ１６の通過帯域を第１帯域より広い第２帯域とする制御を行う。
【００１７】
図４のパターン１は、従来の受信装置の特徴を示し、希望信号の強度が第１レベルより大きく、フィルタの通過帯域がほぼ希望信号の帯域幅の第１帯域の場合を示す。
【００１８】
図４のパターン２は、本発明の受信装置の特徴を示し、希望信号の強度が第１レベルより大きく、フィルタ１６の通過帯域が希望信号の帯域幅より十分に広い幅の第２帯域の場合を示す。
【００１９】
図４のパターン３は、本発明の受信装置の特徴を示し、希望信号の強度が第１レベルより小さく、フィルタ１６の通過帯域がほぼ希望信号の帯域幅の第１帯域の場合を示す。
【００２０】
このように、制御部２３は、希望信号の強度が第１レベルより小さい場合は、フィルタ１６の通過帯域である第１帯域のカットオフ周波数を希望信号の中間周波帯域の上限付近にし、希望信号の強度が第１レベルより大きい場合は、フィルタ１６の通過帯域である第２帯域のカットオフ周波数を、希望信号の中間周波帯域より外の周波数に制御する。尚、希望信号の中間周波帯域より外の周波数とは、例えば、周波数変換後の希望信号の周波数と周波数変換後の妨害信号の周波数との間の周波数であっても構わないし、周波数変換後の妨害信号の周波数帯であっても構わない。即ち、希望信号の強度が大きい場合に、フィルタ１６を構成する所定のローパスフィルタ２７においてピークを希望信号の中間周波帯域から外すことにより、フィルタの歪を抑制することができる。その結果、希望信号の強弱によらず歪が抑制されるため電子機器６の受信品質を向上させることができる。また、受信信号に含まれた希望信号の強度の検出はフィルタ１６の出力側の第２検出部２４で行うため、妨害信号が存在する場合であっても希望信号の強度を正しく検出することができ、その結果、正確なフィルタ制御が可能となって受信品質を向上させることができる。
【００２１】
尚、周波数変換部１５は、イメージ妨害信号を減衰するイメージリジェクションミキサであることが望ましい。ここで、制御部２３は、第１検出部２１による検出の結果、希望信号の強度が第１レベルより小さい場合、フィルタ１６の通過帯域を第１帯域とし、希望信号の強度が第１レベルより大きい場合、フィルタ１６の通過帯域を第１帯域と比較してゼロ周波数から遠い周波数を含む第２帯域とする制御を行う。
【００２２】
これにより、ローカル信号の周波数側の妨害信号は、イメージリジェクションミキサである周波数変換部１５によって減衰されるので、フィルタ１６のゼロ周波数側のカットオフをあまり急峻にする必要はなく、ゼロ周波数側のカットオフ周波数近傍におけるピークが生じにくい。従って、希望信号の強度が第１レベルより大きい場合は、フィルタ１６の通過帯域のうちゼロ周波数から遠いほうのカットオフ周波数を、希望信号の中間周波帯域より外の周波数にすることにより、フィルタ１６の歪を抑制することができる。
【００２３】
さらにまた、図５に示す様に、制御部２３は、更に第２検出部２４による受信信号強度の検出結果にも基づいて、フィルタ１６の通過帯域を制御しても良い。即ち、制御部２３は、希望信号の強度が第１レベルより小さく、かつ、第２検出部２４による検出の結果、受信信号の強度が第２レベルよりも小さい場合、即ち、希望信号の強度も妨害信号の強度も小さい場合、フィルタ１６の通過帯域を第１帯域より広い第３帯域としても良い。この第３帯域の帯域幅は、上記第２帯域の帯域幅と同じであっても良いし、異なっていても良い。
【００２４】
希望信号の強度も妨害信号の強度も小さい場合、フィルタ１６の歪は抑制できるが、フィルタ１６のカットオフ周波数近傍で発生する群遅延（図示せず）が問題として残る。従って、上記制御を行うことにより、この群遅延を抑制することができ、その結果、フィルタ１６から出力される信号の品質を向上させることができ、受信感度を良好にすることができる。
【００２５】
また、制御部２３は、第１検出部２１による検出の結果、希望信号の強度が第１レベルより大きくて、第２検出部２４による検出の結果、受信信号のうち妨害信号の強度が第３レベルよりも大きい場合、即ち、希望信号の強度も妨害信号の強度も大きい場合、フィルタ１６の通過帯域を第１帯域より広い第４帯域としても良い。尚、第４帯域におけるカットオフ周波数は、希望信号の中間周波数と妨害信号の中間周波数との間の周波数である。
【００２６】
このように、希望信号の強度も妨害信号の強度も大きい場合、フィルタ１６の通過帯域である第４帯域のカットオフ周波数を、希望信号の中間周波数と妨害信号の中間周波数との間の周波数にすることにより、上記フィルタの歪を抑制することができる。
【００２７】
上記説明における受信装置５の動作を（表１）と図６に示す。
【００２８】
【表１】
0005119965.tif 000002
【００２９】
（表１）に示す様に、制御部２３は、希望信号の強度と妨害信号の強度の両方が大きい場合、フィルタ１６のカットオフ周波数を図６に示す第４帯域におけるカットオフ周波数３２に制御する。また、制御部２３は、希望信号の強度が大きくて妨害信号の強度が小さい場合、フィルタ１６のカットオフ周波数を図６に示す第２帯域におけるカットオフ周波数３３に制御する。また、制御部２３は、希望信号の強度が小さくて妨害信号の強度が大きい場合、フィルタ１６のカットオフ周波数を図６に示す第１帯域におけるカットオフ周波数３４に制御する。また、制御部２３は、希望信号の強度と妨害信号の強度の両方が小さい場合、フィルタ１６のカットオフ周波数を図６に示す第３帯域におけるカットオフ周波数３３に制御する。
【００３０】
このように、本発明の形態の受信装置５は、希望信号、若しくは妨害信号の強度が大きい場合に、フィルタ１６を構成する所定のローパスフィルタ２７においてピークを示すカットオフ周波数近傍を希望信号の中間周波帯域、若しくは妨害信号の中間周波帯域から外すことにより、フィルタの歪を抑制することができる。その結果、受信品質を向上させることができる。なお、フィルタの歪を抑制する異なる手法としては、フィルタを多段に従続接続して次数を大きくすることによりピークを小さくしながらフィルタ特性を急峻にする手法が考えられるが、この手法は、ＮＦの増加による受信品質の悪化と回路規模の大幅な増大という課題を招く。即ち、本発明の形態の受信装置５は、このような課題を招くことなく良好な受信品質を実現することが可能である。
【００３１】
また、図７に示すように、中間周波信号の周波数を「ωIF」、ＡＤ変換部１８のサンプリング周波数を「ωs」、希望信号の周波数帯域幅を「ωBW」とすると、ＡＤ変換部１８内部のサンプリング処理部（図示せず）において、サンプリング周波数「ωs」の近傍、即ち、
ωS-｛ωIF ＋（ωBW／２）｝からωS＋｛ωIF ＋（ωBW／２）｝
にかけて存在する非希望信号によりエイリアス妨害が発生する。従って、上記第２帯域における上側カットオフ周波数ωCHが、エイリアス信号発生周波数帯の下限であるωS-｛ωIF ＋（ωBW／２）｝より低ければ、フィルタ１６でエイリアス信号発生周波数帯の信号を抑圧することができ、その結果、受信品質を良好にすることができる。
【００３２】
また、図８に示すように、受信装置５は、復調部１９の出力側に接続されて、フィルタ１６から出力された信号の品質を検出する信号品質検出部３１を備え、制御部２３は、第１検出部２１の検出結果に代えて、信号品質検出部３１による検出の結果に基づいて、フィルタ１６の通過帯域を制御しても良い。尚、この信号の品質は、ビット誤り率等の信号の誤り率（Ｅｒｒｏｒ  Ｒａｔｅ）、若しくはＣＮＲ（Ｃａｒｒｉｅｒ  Ｎｏｉｓｅ  Ｒａｔｉｏ）である。
【００３３】
即ち、希望信号の強度が大きく、カットオフ周波数近傍の希望信号によってフィルタ１６が歪むという問題が生じた場合、フィルタ１６のカットオフ周波数を希望信号の中間周波帯域の上限付近にするか、若しくは希望信号の中間周波帯域より外の周波数にするかを決定する際、フィルタ１６から出力された信号の品質が良い方を選択することにより、上記フィルタ１６の歪を抑制することができる。
【００３４】
なお、周波数変換部１５が出力する中間周波信号の周波数「ωIF」は０Ｈｚでも良い。この場合も、本願発明の受信装置５の構成により同様の効果を奏する。
【００３５】
また、以上の例では検出された希望信号の強度と比較対象である第１〜第２レベルとの大小比較結果に応じてフィルタ１６のカットオフ周波数を切り替えることを説明したが、比較対象となるレベルを３つ以上の多値としてフィルタ１６のカットオフ周波数をより細かく切り替えても良い。その結果、例えば、消費電流や電源電圧を低減した比較的直線性の悪い半導体デバイスに内蔵されたフィルタ回路を用いても歪発生を小さく抑制することが可能となる。
【００３６】
また、受信信号の強度と比較対象のレベルとの大小比較結果に応じたフィルタ１６のカットオフ周波数の切り替えにヒステリシスを有しても良く、さらにまた、受信信号の強度の時間変動が大きい移動受信環境などにおいては、受信信号の強度と比較対象のレベルとの大小比較を何度か実施して、フィルタ１６のカットオフ周波数切り替えを判断しても良い。その結果、フィルタ１６のカットオフ周波数の再切り替えが頻繁に発生することを防止することが可能となり、即ち、安定した受信品質を実現することができる。
【００３７】
（実施の形態２）
以下、本発明の実施の形態２について図９を用いて説明する。図９は、実施の形態２の受信装置５を搭載した電子機器６のブロック図である。尚、特に説明しない限り、実施の形態２の各構成は、実施の形態１と同様である。
【００３８】
受信装置５は、周波数変換部１５の入力側に接続されたバンドパスフィルタからなるフィルタ３５と、第１検出部２１の出力側に接続されてフィルタ３５の通過帯域を制御する制御部３６とを備える。
【００３９】
この制御部３６は、第１検出部２１による検出の結果、希望信号の強度が第１レベルより小さい場合、フィルタ３５の通過帯域を第１帯域とし、希望信号の強度が第１レベルより大きい場合、フィルタ３５の通過帯域を第１帯域より広い第２帯域とする制御を行う。
【００４０】
このように、制御部３６は、希望信号の強度が第１レベルより小さい場合は、フィルタ３５の通過帯域である第１帯域のカットオフ周波数を希望信号の帯域の上限付近にし、希望信号の強度が第１レベルより大きい場合は、フィルタ３５の通過帯域である第２帯域のカットオフ周波数を、希望信号の帯域より外の周波数に制御する。尚、希望信号の帯域より外の周波数とは、例えば、希望信号の周波数と妨害信号の周波数との間の周波数であっても構わないし、妨害信号の周波数帯であっても構わない。即ち、希望信号の強度が大きい場合に、フィルタ３５を構成する所定のローパスフィルタにおいてピークを示すカットオフ周波数近傍を希望信号の帯域から外すことにより、フィルタ３５の歪を抑制することができる。その結果、受信品質を向上させることができる。
【００４１】
なお、本願発明は、周波数変換部１５にフィルタ３５を前置した構成のため、妨害信号によって発生する周波数変換部１５の歪を抑制することが可能であり、また、フィルタ１６に入力される妨害信号は概抑圧された信号となるため、フィルタ１６のフィルタ特性をあまり急峻にする必要はなくピークによる歪発生を十分小さく抑制することが可能となる。
【００４２】
また、周波数変換部１５は、イメージ妨害信号を減衰するイメージリジェクションミキサであることが望ましい。ここで、制御部３６は、第１検出部２１による検出の結果、希望信号の強度が第１レベルより小さい場合、フィルタ３５の通過帯域を第１帯域とし、希望信号の強度が第１レベルより大きい場合、フィルタ３５の通過帯域を第１帯域と比較してローカル信号の周波数から遠い周波数を含む第２帯域とする制御を行う。
【００４３】
これにより、ローカル信号の周波数側の妨害信号は、イメージリジェクションミキサである周波数変換部１５によって減衰されるので、フィルタ３５のローカル信号の周波数側をあまり急峻に減衰させる必要はなく、ローカル信号の周波数側のカットオフ周波数近傍におけるピークが生じにくい。従って、希望信号の強度が第１レベルより大きい場合は、フィルタ３５の通過帯域のうちローカル信号の周波数から遠いほうのカットオフ周波数を、希望信号の帯域より外の周波数にすることにより、フィルタ３５の歪を抑制することができる。
【００４４】
また、図１０に示すように、周波数変換部１５の入力側に接続されて第２検出部２４による検出の結果に基づいて増幅度が決定される高周波増幅部１３を備え、第２検出部２４は、高周波増幅部１３と周波数変換部１５との間に接続された構成であっても良い。
【００４５】
これにより、第２検出部２４は、周波数変換部１５の周波数特性に影響されることなく、希望信号の帯域から遠い周波数に存在する妨害信号も検出することができる。即ち、第２検出部２４によって妨害波が検出された場合、高周波増幅部１３の増幅度を抑制することにより、希望信号の帯域から遠い周波数に存在する妨害信号によって高周波増幅部１３が歪むことを防止することができる。
【００４６】
また、図１１（ａ）に示すように、中間周波信号の周波数を「ωIF」、サンプリング周波数を「ωs」、希望信号の周波数帯域幅を「ωBW」とすると、ＡＤ変換部１８内部のサンプリング処理部（図示せず）において、サンプリング周波数「ωs」の近傍、即ち、
ωS-｛ωIF ＋（ωBW／２）｝からωS＋｛ωIF ＋（ωBW／２）｝
にかけてエイリアス妨害信号が発生する。従って、ローカル信号の周波数ωLOが希望信号の周波数より低い場合、上記第２帯域における上側カットオフ周波数ωCHが、ωLO＋ωS−｛ωIF ＋（ωBW／２）｝より低ければ、フィルタ３５でエイリアス信号発生周波数帯の信号を抑圧することができ、その結果、受信品質を良好にすることができる。
【００４７】
一方、図１１（ｂ）に示すように、ローカル信号の周波数ωLOが希望信号の周波数より高い場合、上記第２帯域における下側カットオフ周波数ωCLが、ωLO−[ωS−｛ωIF ＋（ωBW／２）｝]より高ければ、フィルタ３５でエイリアス信号発生周波数帯の信号を抑圧することができ、その結果、受信品質を良好にすることができる。
【００４８】
また、図１２に示すように、受信装置５は、復調部１９に接続されて、フィルタ３５から出力された信号の品質を検出する信号品質検出部３７を備え、制御部３６は、第１検出部２１の検出結果に代えて、信号品質検出部３７による検出の結果に基づいて、フィルタ３５の通過帯域を制御しても良い。
【００４９】
尚、この信号の品質とは、信号の誤り率（Ｅｒｒｏｒ  Ｒａｔｅ）、若しくはＣＮＲ（Ｃａｒｒｉｅｒ  Ｎｏｉｓｅ  Ｒａｔｉｏ）である。
【００５０】
即ち、希望信号の強度が大きい場合、カットオフ周波数近傍の希望信号によってフィルタ３５が歪むという問題が生じる。従って、フィルタ３５のカットオフ周波数を希望信号の帯域の上限付近にするか、若しくは希望信号の帯域より外の周波数にするかを決定する際、フィルタ３５から出力された信号の品質が良い方を選択することにより、上記フィルタ３５の歪を抑制することができる。
【００５１】
なお、周波数変換部１５が出力する中間周波信号の周波数「ωIF」は０Ｈｚでも良い。この場合も、本願発明の受信装置５の構成により同様の効果を奏する。また、本願発明では、フィルタ１６の通過帯域を固定する例を示したが、フィルタ１６をフィルタ３５と同様の通過帯域可変フィルタとしても良い。
【産業上の利用可能性】
【００５２】
本発明の受信装置は、受信品質を向上させることができ、携帯端末等の電子機器に利用することができる。
【図面の簡単な説明】
【００５３】
【図１】本発明の実施の形態１における受信装置が搭載された電子機器のブロック図
【図２】同受信装置におけるフィルタのブロック図
【図３】（ａ）同受信装置におけるフィルタの特性図、（ｂ）同受信装置におけるフィルタの他の特性図
【図４】同受信装置におけるフィルタの説明図
【図５】同受信装置が搭載された電子機器の他のブロック図
【図６】同受信装置におけるフィルタの他の特性図
【図７】同受信装置におけるフィルタ特性の他の説明図
【図８】同受信装置が搭載された電子機器の他のブロック図
【図９】本発明の実施の形態２における受信装置が搭載された電子機器のブロック図
【図１０】同受信装置が搭載された電子機器の他のブロック図
【図１１】（ａ）（ｂ）同受信装置におけるフィルタ特性の説明図
【図１２】同受信装置が搭載された電子機器の他のブロック図
【図１３】従来の受信装置が搭載された電子機器のブロック図
【符号の説明】
【００５４】
５  受信装置
６  電子機器
７  アンテナ
８  入力フィルタ
９  信号処理部
１０  表示部
１１  スピーカ
１２  入力端子
１３  高周波増幅部
１４  発振部
１５  周波数変換部
１６  フィルタ
１７  ＩＦ増幅部
１８  ＡＤ変換部
１９  復調部
２０  出力端子
２１  第１検出部
２２  ＩＦＡＧＣ
２３  制御部
２４  第２検出部
２５  ＲＦＡＧＣ
【図１】
0005119965.tif 000003
【図２】
0005119965.tif 000004
【図３】
0005119965.tif 000005
【図４】
0005119965.tif 000006
【図５】
0005119965.tif 000007
【図６】
0005119965.tif 000008
【図７】
0005119965.tif 000009
【図８】
0005119965.tif 000010
【図９】
0005119965.tif 000011
【図１０】
0005119965.tif 000012
【図１１】
0005119965.tif 000013
【図１２】
0005119965.tif 000014
【図１３】
0005119965.tif 000015